(57)【特許請求の範囲】
【請求項１】
天部に開閉蓋１１を設け、また内部に被収納部物Ｗの収納室Ｓ１とその背後にエアー配給室Ｓ２を設け、背面にはエアー配給室Ｓ２を開閉する扉１５を設けた箱状の収納ボックス１０であって、
エアーバッグ１３ａの４辺を枠体１３ｂで固定して構成されると共に１隅にエアー受入口１３ｅを構成したエアーパネル１３を用い、
該エアーパネル１３を前記収納室Ｓ１の４側部と底部と天部である開閉蓋１１との各内壁部にそれぞれ取り付け、
前記エアー配給室Ｓ２には、複数のエアーチューブ１９を介して空気をエアーパネル１３に給排気させると共に前記扉１５を開いて外部の空気供給源と接続させるエアーカプラを備えた配管用マニホールド１６と、エアーポンプ１７ｂを備えたエアー制御ユニット１７と、該エアー制御ユニット１７を介してエアーバッグ１３ａ内の空気圧を所定圧に維持するバックアップ機能と給排気機能とを行わせるための給排気スイッチ１８とを設けたことを特徴とする収納ボックス。
【発明の詳細な説明】
【０００１】
【発明の属する技術分野】
本発明は収納ボックスに関し、詳しくは花瓶、その他の美術品等の被収納物を収納して持ち運びするのに適した収納ボックスに関する。
【０００２】
【従来の技術】
従来、壺等の陶芸品やその他の美術品は、一般にその美術品に合わせた大きさの木箱を製作し、この木箱に収納して運搬を行っていた。
【０００３】
【発明が解決しようとする課題】
ところが従来の木箱などは、美術品の大きさ毎に種々の寸法の木箱を揃えておかなければならないという問題があった。しかも木箱と被収納物との間にクッション材等を詰めなければ、実際には、なかなか被収納物が安定せず、内部でゴソゴソ動く等の問題があった。またそれによって傷が付き易いという問題があった。
更に前記クッション材は嵩が高いため、予めクッション材を準備しておく必要があり、しかも輸送後にはクッション材を廃棄しなければならないなど、手間がかかる問題があった。
【０００４】
そこで本発明は上記従来の問題点を解消し、壺等の陶芸品を含む美術品やその他の被収納物を収納して、簡単に且つ安定して固定状態に保持し、持ち運びすることができる収納ボックスの提供を課題とする。
【０００５】
【課題を解決するための手段】
上記課題を解決する本発明の収納ボックスは、天部に開閉蓋１１を設け、また内部に被収納部物Ｗの収納室Ｓ１とその背後にエアー配給室Ｓ２を設け、背面にはエアー配給室Ｓ２を開閉する扉１５を設けた箱状の収納ボックス１０であって、エアーバッグ１３ａの４辺を枠体１３ｂで固定して構成されると共に１隅にエアー受入口１３ｅを構成したエアーパネル１３を用い、該エアーパネル１３を前記収納室Ｓ１の４側部と底部と天部である開閉蓋１１との各内壁部にそれぞれ取り付け、前記エアー配給室Ｓ２には、複数のエアーチューブ１９を介して空気をエアーパネル１３に給排気させると共に前記扉１５を開いて外部の空気供給源と接続させるエアーカプラを備えた配管用マニホールド１６と、エアーポンプ１７ｂを備えたエアー制御ユニット１７と、該エアー制御ユニット１７を介してエアーバッグ１３ａ内の空気圧を所定圧に維持するバックアップ機能と給排気機能とを行わせるための給排気スイッチ１８とを設けたことを第１の特徴としている。
【０００６】
【発明の実施の形態】
以下、図面を参照しながら本発明の実施形態を更に説明する。
図１は本発明の実施形態に係る収納ボックスの正面図、図２は本発明の実施形態に係る収納ボックスの背面図、図３は本発明の実施形態に係る収納ボックスの縦断面図、図４は本発明の実施形態に係る収納ボックスの部分水平断面図である。図５は図３のＡ−Ａ断面図、図６は図３のＢ−Ｂ断面図、図７はエアーバッグの構造を示す正面図、図８はエアーバッグの構造を示す側面図、図９は図７のＣ−Ｃ断面図、図１０はエアー制御ユニットの構成を示す図である。
【０００７】
先ず図１〜４を参照して、収納ボックス１０は、六面を有する箱状に構成してある。収納ボックス１０の天部は開閉蓋１１になっており、背面側に設けられた一対の蝶番１１ａと正面側に設けられた一対の掛け金１１ｂによって開閉自在とされている。１２は把手である。
【０００８】
収納ボックス１０の内部に被収納物Ｗを収納するための収納室Ｓ１を設けており、その収納室Ｓ１の背後にエアー配給室Ｓ２を仕切って設けている。収納室Ｓ１はエアー配給室Ｓ２に較べて十分に広い空間（容積）を持つようにしてある。
【０００９】
前記収納室Ｓ１の内壁部に、エアーバッグ１３ａを設備したエアーパネル１３を配設している。
図７〜９も参照して、エアーパネル１３は、エアーバッグ１３ａの４辺を両側から一対の枠体１３ｂ、１３ｂで挟むようにして構成している。１３ｃは一対の枠体１３ｂ、１３ｂを合わせて固定するネジで、１３ｄはエアーバッグ１３ａを押えるゴム押えである。
またエアーパネル１３の１隅に供給源から送られてくる空気をエアーバッグ１３ａに受け入れるエアー受入口１３ｅを設けている。
【００１０】
図５、図６も参照して、前記エアーパネル１３は収納室Ｓ１の６つの内壁部に設けられるが、底部と天部においては、パネル押え金具１４ａ、１４ａ（図３、図５参照）によって内壁部に取り付けられている。一方、収納室Ｓ１の４側部においては、４隅に構成したパネル嵌め込み金具１４ｂによって内壁部に取り付けられている。
【００１１】
前記収納ボックス１０の背面側には前記エアー配給室Ｓ２を開ける扉１５が設けられている。１５ａは蝶番、１５ｂは開閉ハンドルである。扉１５を開くことで、エアー配給室Ｓ２内の器具を操作することができる。
エアー配給室Ｓ２には、配管用マニホールド１６、エアー制御ユニット１７、給排気スイッチ１８が設けられている。
【００１２】
前記配管用マニホールド１６には、前記収納室Ｓ１の６つの内壁部にそれぞれ配設されるエアーパネル１３のエアーバッグ１３ａに対してエアーチューブ１９を通じて空気を送るための６個のワンタッチエアーカプラ１６ａと、前記エアー制御ユニット１７との間にエアーチューブ１９を接続するためのワンタッチエアーカプラ１６ｂと、図示しない外部の空気供給源であるコンプレッサと接続するためのワンタッチエアーカプラ１６ｃを有し、また排気バルブ１６ｄを備えている。
前記図示しない外部の空気供給源からワンタッチエアーカプラ１６ｃを介して配管用マニホールド１６に供給された空気は、内部の通路から各ワンタッチエアーカプラ１６ａを介して各エアーチューブ１９に流れ、各エアーバッグ１３ａに配給される。また前記排気バルブ１６ｄを開放することで、エアーバッグ１３ａ内の空気を排気することができる。
【００１３】
図１０を参照して、前記エアー制御ユニット１７には制御回路１７ａと、エアーポンプ１７ｂと、該エアーポンプ１７ｂからの空気供給路を切り換える電磁切換弁１７ｃと、エアーバッグ１３ａ側の空気圧を検出する空気圧センサ１７ｄを備えている。前記制御回路１７ａ内には図示しない充電式の電源を備えており、各部１７ａ、１７ｂ、１７ｃ、１７ｄに電力を供給している。
また前記給排気スイッチ１８は、エアー制御ユニット１７を介してエアーバッグ１３ａ内の空気圧を所定圧に維持するバックアップ機能と給排気機能を行うためのスイッチである。
今、給排気スイッチ１８の運転ボタン１８ａをオンすると、空気圧センサ１７ｄが検出する空気圧を制御回路１７ａが監視し、空気圧が所定の空気圧領域未満の場合には、制御回路１７ａが電磁切換弁１７ｃを給気側に切り換えると共にエアーポンプ１７ｂを駆動し、配管用マニホールド１６を介して空気を各エアーバッグ１３ａに送る。そして空気圧センサ１７ｄが所定の空気圧領域を検出するとエアーポンプ１７ｂの駆動を停止させる。また検出空気圧が所定の空気圧領域を越えているような場合が生じた時には、制御回路１７ａは電磁切換弁１７ｃを排気側に切り換えると共にエアーポンプ１７ｂを駆動し、各エアーバッグ１３ａ側の空気を配管用マニホールド１６を介して吸引して、所定の空気圧領域になるまで排気する。この様にして、前記制御回路１７ａと前記エアーポンプ１７ｂと電磁切換弁１７ｃと空気圧センサ１７ｄとで、エアーバッグ１３ａの空気圧バックアップ手段を構成している。
給排気スイッチ１８の排気ボタン１８ｂをオンすると、制御回路１７ａを介して電磁切換弁１７ｃを排気側に切り換えると共にエアーポンプ１７ｂを駆動し、各エアーバッグ１３ａ側の空気を配管用マニホールド１６を介して吸引して排気する
【００１４】
収納ボックス１０の材質は、木製や金属製或いは硬質のプラスチック製とすることができる。
美術品等の被収納物Ｗの収納及び取出作業を説明する。
先ず収納ボックス１０の開閉蓋１１を開き、被収納物Ｗを収納室Ｓ１に置く。次に収納ボックス１０の背面側の扉１５を開き、別置きの空気供給源であるコンプレッサからの配管をワンタッチエアーカプラ１６ｃに接続して空気を供給する。各エアーパネル１３のエアーバッグ１３ａにある程度の空気が入ったら、開閉蓋１１を閉め、前記コンプレッサの配管を外し、そして給排気スイッチ１８の運転ボタン１８ａをオンする。これによって電磁切換弁１７ｃが給気側に切り換わり、エアーポンプ１７ｂが駆動して更なる空気をエアーバッグ１３ａに送り、所定の空気圧領域になるとエアーポンプ１７ｂが停止されて収納が完了する。扉１５を閉めれば、運搬の準備が整う。
運搬中も前記運転ボタン１８ａがオンされた状態において、空気圧センサ１７ｄがエアーバッグ１３ａ内の空気圧を検出し、該空気圧が被収納物Ｗを確実に且つ安定して固定することができる所定の空気圧領域から低下した場合には、エアーポンプ１７ｂが駆動して、空気を補充してバックアップする。
運搬終了後、被収納物Ｗを収納ボックス１０から出す場合は、先ず背面側の扉１５を開き、排気バルブ１６ｄを開くことで、エアーバッグ１３ａ内の空気が抜ける。開閉蓋１１を開いて被収納物Ｗを取り出す。
尚、エアーバッグ１３ａの空気を更に抜く場合は、給排気スイッチ１８の排気ボタン１８ｂをオンすることで、エアーバッグ１３ａの空気を強制的に排気することができる。
勿論、被収納物Ｗの収納時において、前記したコンプレッサを用いずに、最初から給排気スイッチ１８の運転ボタン１８ａをオンして空気を配給することもできる。
【００１５】
【発明の効果】
本発明は以上の構成、作用よりなり、請求項１に記載の収納ボックスによれば、天部に開閉蓋１１を設け、また内部に被収納部物Ｗの収納室Ｓ１とその背後にエアー配給室Ｓ２を設け、背面にはエアー配給室Ｓ２を開閉する扉１５を設けた箱状の収納ボックス１０であって、エアーバッグ１３ａの４辺を枠体１３ｂで固定して構成されると共に１隅にエアー受入口１３ｅを構成したエアーパネル１３を用い、該エアーパネル１３を前記収納室Ｓ１の４側部と底部と天部である開閉蓋１１との各内壁部にそれぞれ取り付け、前記エアー配給室Ｓ２には、複数のエアーチューブ１９を介して空気をエアーパネル１３に給排気させると共に前記扉１５を開いて外部の空気供給源と接続させるエアーカプラを備えた配管用マニホールド１６と、エアーポンプ１７ｂを備えたエアー制御ユニット１７と、該エアー制御ユニット１７を介してエアーパネル１３内の空気圧を所定圧に維持するバックアップ機能と給排気機能とを行わせるための給排気スイッチ１８とを設けたので、
壷等の陶芸品を含む美術品やその他の被収納物を収納して、簡単に且つ安定して固定状態に保持し、持ち運びすることができる。
しかも寸法等の異なる種々の被収納物に対しても、確実に且つ安定して固定することができる。
また固定は、クッション材等を詰め込んだりする面倒な作業を必要とすることなく、簡単で且つ速やかに行うことができる。勿論、被収納物を取り出す場合も簡単に、速やかに行うことができる。
クッション材等の詰め物を必要としないので、クッション材を用意しておくスペースや作業、使用後のクッション材を集めて廃棄する作業や掃除等、クッション材を使用することによる全ての不都合が解消される。
また従来の木箱などでは１回きりの使用で終わっていたが、本収納ボックスでは何度も繰り返して使用することができ、無駄な費用や廃棄処分に要するコストを低減することができる。
また運送中においてエアーバッグ内の空気圧が減少するようなことがあっても直ぐに空気を補充することができ、常にエアーバッグの空気圧を一定に安定して保持することができる。よって運搬中においても被収納物の安定な固定状態を確実に維持することができる。
【図面の簡単な説明】
【図１】本発明の実施形態に係る収納ボックスの正面図である。
【図２】本発明の実施形態に係る収納ボックスの背面図である。
【図３】本発明の実施形態に係る収納ボックスの縦断面図である。
【図４】本発明の実施形態に係る収納ボックスの部分水平断面図である。
【図５】図３のＡ−Ａ断面図である。
【図６】図３のＢ−Ｂ断面図である。
【図７】エアーバッグの構造を示す正面図である。
【図８】エアーバッグの構造を示す側面図である。
【図９】図７のＣ−Ｃ断面図である。
【図１０】エアー制御ユニットの構成を示す図である。
【符号の説明】
１０  収納ボックス
１１  開閉蓋
１１ａ  蝶番
１１ｂ  掛け金
１２  把手
１３  エアーパネル
１３ａ  エアーバッグ
１３ｂ  枠体
１４ａ  パネル押え金具
１４ｂ  パネル嵌め込み金具
１５  扉
１６  配管用マニホールド
１６ａ、１６ｂ、１６ｃ  ワンタッチエアーカプラ
１６ｄ  排気バルブ
１７  エアー制御ユニット
１７ａ  制御回路
１７ｂ  エアーポンプ
１７ｃ  電磁切換弁
１７ｄ  空気圧センサ
１８  給排気スイッチ
１８ａ  運転ボタン
１８ｂ  排気ボタン
１９  エアーチューブ
Ｗ  被収納物
Ｓ１  収納室
Ｓ２  エアー配給室
【図１】
0003954388.tif 000002
【図２】
0003954388.tif 000003
【図３】
0003954388.tif 000004
【図４】
0003954388.tif 000005
【図５】
0003954388.tif 000006
【図６】
0003954388.tif 000007
【図７】
0003954388.tif 000008
【図８】
0003954388.tif 000009
【図９】
0003954388.tif 000010
【図１０】
0003954388.tif 000011